(57)【特許請求の範囲】
【請求項１】
並列する構造物の向かい合う床スラブどうしが隙間をあけて接続される床スラブの耐震ジョイント構造であって、
一端側が一方の床スラブに固定され他端側が他方の床スラブに対して自由とされるスライド板が、前記隙間の下方を覆うように配置され、
このスライド板に支持され床スラブの変位を吸収するクッション材が、前記隙間内に配置され、
このクッション材の上に隙間への水の浸入を防ぐ防水層が、その上面を床スラブの上面とほぼ同じ高さになるように設けられていることを特徴とする床スラブの耐震ジョイント構造。
【請求項２】
前記スライド板の他端側が前記他方の床スラブの下面に接していることを特徴とする請求項１に記載の床スラブの耐震ジョイント構造。
【発明の詳細な説明】
【技術分野】
【０００１】
本発明は、並列する構造物においてそれらの向かい合う床スラブどうしが隙間をあけて接続される床スラブの耐震ジョイント構造に関する。
【背景技術】
【０００２】
従来、構造物が並列する際に、それらの床スラブを通路として使用するために、向かい合う床スラブを接続することがある。このような床スラブの接続としては、例えば、図４に示すように、床スラブ１３、１４間に隙間１５をあけて、構造物の外部となる床スラブ１３、１４の向かい合う側面の上部に滑り止め用のアングル２４を設け、これら床スラブ１３、１４の上面間にステンレス鋼板２２を架け渡し、ステンレス鋼板２２の両端部に防水のためシーリング２３を施した耐震ジョイント構造がある。
【０００３】
また、隙間の上部に、一方側だけが固定される表面プレートが配置され、表面プレートの側端部とスラブの上面立ち上がり端部との間にクリアランスが設けられ、隙間の伸縮を吸収する構造が考えられ、さらにこのクリアランスを小さくするために、表面プレートをスラブの上面には固定せず、表面プレートに下方に伸びるボルトを設け、スラブの下面に規制プレートを設け、この規制プレートとボルトとの間にスプリングを配置し表面プレートを下方に付勢する構造も考えられている（例えば、特許文献１参照。）。
【特許文献１】特開平９−１３５２４号公報
【発明の開示】
【発明が解決しようとする課題】
【０００４】
しかし、前者の構造では、ステンレス鋼板を床スラブの上面間に架け渡すので、ステンレス鋼板の上面と床スラブの上面との間に段差が生じて通行の支障となっていた。後者の構造では、段差は生じないがクリアランスが必要であるので、床面に溝ができてしまい通行の支障となっており、また床スラブが構造物の外部にある場合には、雨水などが隙間に浸入してしまう恐れがあった。
【０００５】
さらに、上記両構造では、接続される床スラブの下方も通路として使用する場合には、床スラブ間の隙間である溝や、ボルト、スプリングなどが天井面に現れるため、接続部分の外観が悪くなるという問題があった。
【０００６】
本発明の課題は、並列する構造物の向かい合う床スラブどうしの接続において、簡単な耐震ジョイント構造で、床スラブ間の通行の支障をなくし、隙間への水の浸入を防止し、かつ床スラブの接続部分の下方から見た外観を良くすることである。
【課題を解決するための手段】
【０００７】
以上の課題を解決するため、請求項１に記載の発明は、例えば図１から３に示すように、並列する構造物１１、１２の向かい合う床スラブ１３、１４どうしが隙間１５をあけて接続される床スラブの耐震ジョイント構造１であって、一端側２ａが一方の床スラブ１３に固定され他端側２ｂが他方の床スラブ１４に対して自由とされるスライド板２が、前記隙間１５の下方を覆うように配置され、このスライド板２に支持され床スラブ１３、１４の変位を吸収するクッション材３が、前記隙間１５内に配置され、このクッション材３の上に隙間１５への水の浸入を防ぐ防水層４が、その上面を床スラブ１３、１４の上面とほぼ同じ高さになるように設けられていることを特徴とする。
【０００８】
このように、向かい合う床スラブ１３、１４どうしの間に隙間１５をあけて、この隙間１５の下方を覆うようにスライド板２を配置し、このスライド板２の上に支持されるクッション材３を隙間１５内に配置している。このスライド板２の一端側２ａが一方の床スラブ１３に固定され、その他端側２ｂが他方の床スラブ１４に対して自由となって、クッション材３が床スラブ１３、１４の地震時の変位を吸収することにより、床スラブ１３、１４を損傷させず、床スラブ１３、１４どうしの接続が耐震性を備えたものとすることができる。そして、クッション材３の上に床スラブ１３、１４の上面とほぼ同じ高さになるように防水層４を設けることにより、耐震性を損なうことなく、隙間１５への水の浸入を防ぎ、床面に段差や溝のない通路としての機能を保有させることができる。さらに、床スラブ１３、１４の接続部分をその下方や外方から見た場合でも、隙間１５の下方を覆うスライド板２が表れることにより、その外観を良くすることができる。
【０００９】
請求項２に記載の発明は、請求項１に記載の床スラブの耐震ジョイント構造において、例えば図３に示すように、前記スライド板２の他端側２ｂが前記他方の床スラブ１３の下面に接していることを特徴とする。
【００１０】
このように、スライド板２の他端側２ｂが他方の床スラブ１３の下面に接していることにより、スライド板２と床スラブ１３の下面との間に隙間がなくなり、さらに外観を良くすることができる。
【発明の効果】
【００１１】
本発明によれば、並列する構造物の向かい合う床スラブどうしが隙間をあけて接続される際に、一端側が一方の床スラブに固定され他端側が他方の床スラブに対して自由とされるスライド板が隙間の下方を覆うように配置され、このスライド板に支持され床スラブの変位を吸収するクッション材が隙間内に配置されているので、簡単な耐震構造で床スラブを接続することができる。そして、このクッション材の上に隙間への水の浸入を防ぐ防水層がその上面を床スラブの上面とほぼ同じ高さになるように設けられているので、漏水を防止しつつ通行に支障のない通路としての機能を保有させることができる。さらに、隙間の下方にはスライド板が表れることにより、スラブの下方からの外観を良くすることができる。また、スライド板の他端側が他方の床スラブの下面に接するようにすれば、スライド板と床スラブの下面との間に隙間がなくなり、さらに外観を良くすることができる。
【発明を実施するための最良の形態】
【００１２】
以下、図を参照して本発明を実施するための最良の形態を詳細に説明する。
図１、２に示すように、鉄筋コンクリート構造の排水水槽である構造物１１、１２が、並列して設置されている。一方の構造物１１は既設のものであり、他方の構造物１２は新設のものである。それぞれの構造物１１、１２には構造物の外部となる床スラブ１３、１４が張り出し、これらの床スラブ１３、１４どうしが所定の隙間１５をあけて互いに向かい合っている。
【００１３】
そして、これらの床スラブ１３、１４は、構造物１１、１２間を渡る点検用通路として使用される。また、床スラブ１３、１４の下方には土間コンクリート１６が設けられ、点検用通路となっている。なお、本実施の形態では、床スラブ１３、１４の厚みは２００ｍｍであり、隙間１５の巾は５０ｍｍとなっている。
【００１４】
本実施の形態における床スラブ１３、１４の耐震ジョイント構造１は、本発明を上記床スラブ１３、１４どうしの接続に適用したものである。図３に示すように、この耐震ジョイント構造１では、一端側２ａが一方の床スラブ１３に固定され他端側２ｂが他方の床スラブ１４に対して自由とされるスライド板２が、隙間１５の下方を覆うように配置されている。
【００１５】
このスライド板２は、床スラブ１３、１４間の隙間１５よりも幅の広い長尺のステンレス鋼板で、その厚さが６ｍｍ、幅が２００ｍｍのものである。そして、スライド板２は、その幅方向で、一端側２ａが５０ｍｍの幅で一方の床スラブ１３の下面に重なって固定され、他端側２ｂが１００ｍｍの幅で他方の床スラブ１４の下面に重なって接している。
【００１６】
スライド板２の一端側２ａの固定は、一方の床スラブ１３の下面に所定の間隔で設置されたアンカーボルト５などによって行っている。本実施の形態では、ボルト径が１２ｍｍのものを、５００ｍｍ間隔でケミカルアンカーを打ち込んでいる。
【００１７】
スライド板２の他端側２ｂが他方の床スラブ１３、１４の下面へ接する際は、スライド板２の他端側２ｂの上面が滑らかに摺動することが望ましい。そのために、例えば、他方の床スラブ１３の構築においてコンクリートを打設する際に型枠材として化粧材を使用することなどが考えられる。
【００１８】
なお、スライド板２は、図１に示すように、床スラブ１３、１４間の隙間１５の延長方向にわたって、複数のステンレス鋼板をそれらの端部どうしを溶接接合して構成している。そして、スライド板２の長手方向の端部には、補強のために斜材２ｃを床スラブ１３、１４に取り付けないで設けられている。斜材２ｃの材質は、スライド板２と同様のものを用いることができる。
【００１９】
そして、スライド板２の上には、スライド板２に支持され床スラブ１３、１４の変位を吸収するクッション材３が、隙間１５内に充填されて配置されている。クッション材３としては、例えば、発泡スチロールなどが考えられ、通行による荷重に耐えることができる強度を有するものである。
【００２０】
さらに、クッション材３の上には、隙間１５への水の浸入を防ぐ防水層４が、その上面を床スラブ１３、１４の上面とほぼ同じ高さになるように設けられている。防水層４としては、例えば硬質のウレタン防水などが考えられ、床スラブ１３、１４の変位に追従することができるものである。
【００２１】
本実施の形態によれば、スライド板２の一端側２ａが一方の床スラブ１３の下面に対してスライドし、スライド板２の上に支持されたクッション材３が床スラブ１３、１４の地震時の変位を吸収して変形するため、床スラブ１３、１４を損傷させることがなく、耐震性のあるジョイント構造とすることができる。そして、クッション材３の上に床スラブ１３、１４の上面とほぼ同じ高さになるように防水層４を設けることにより、耐震性を損なうことなく、床スラブ１３、１４間を渡る通路において、隙間１５への水の浸入を防ぎ、床面に段差や溝のなくすことができる。
【００２２】
さらに、床スラブ１３、１４の接続部分をその下方や外方から見た場合でも、スライド板２が両方の床スラブ１３、１４の下面に接して隙間１５の下方を覆っているので、スライド板２のみが天井面に表れ、その外観を向上させることができる。
【００２３】
なお、以上の実施の形態においては、床スラブを構造物の外部となるものに適用したが、本発明はこれに限定されるものではなく、構造物の内部となるものに適用しても良い。また、床スラブの厚み、床スラブ間の隙間の幅等も任意であり、その他、スライド板、クッション材、防水層など、具体的な細部構造等についても適宜に変更可能であることは勿論である。
【図面の簡単な説明】
【００２４】
【図１】本発明を適用した一実施の形態の床スラブの耐震ジョイント構造を示す全体平面図である。
【図２】図１の耐震ジョイント構造を示すＡ−Ａ断面図である。
【図３】図２の要部であるＸ部を拡大した拡大断面図である。
【図４】従来の床スラブ、の耐震ジョイント構造を示す断面図である。
【符号の説明】
【００２５】
１  耐震ジョイント構造
２  スライド板
２ａ  一端側
２ｂ  他端側
２ｃ  斜材
３  クッション材
４  防水層
５  アンカーボルト
１１、１２  構造物
１３、１４  床スラブ
１５  隙間
１６  土間コンクリート
【図１】
0004808503.tif 000002
【図２】
0004808503.tif 000003
【図３】
0004808503.tif 000004
【図４】
0004808503.tif 000005